(57)【要約】【課題】耐久性に優れ、運搬作業や埋設作業の際に簡単に取り扱う上で有利でしかも簡単に撤去できる地中埋設型核シェルターを提供すること。【解決手段】地中に埋設されるシェルター本体１６を有し、シェルター本体１６の内部が居住空間１４とされる地中埋設型核シェルター１０である。シェルター本体１６を構成する壁１８は、放射線遮蔽ゴムパネル２４と、放射線遮蔽ゴムパネル２４を挟んだ一対の繊維強化樹脂パネル２６とを含んで構成されている。【選択図】図４
2019183432.tif 000002
【特許請求の範囲】
【請求項１】
地中に埋設されその内部が居住空間とされるシェルター本体を有する地中埋設型核シェルターであって、
前記シェルター本体を構成する壁は、放射線の透過を阻止する放射線遮蔽ゴムパネルと、前記放射線遮蔽ゴムパネルを挟んだ一対の繊維強化樹脂パネルとを含んで構成されている、
ことを特徴とする地中埋設型核シェルター。
【請求項２】
地中に埋設されその内部が居住空間とされるシェルター本体を有する地中埋設型核シェルターであって、
シェルター本体を構成する壁は、前記壁の外面を形成する繊維強化樹脂パネルと、前記繊維強化樹脂パネルに接合され放射線の透過を阻止して前記壁の内面を形成する放射線遮蔽ゴムパネルとを含んで構成されている、
ことを特徴とする地中埋設型核シェルター。
【請求項３】
前記放射線遮蔽ゴムパネルに化粧パネルが接合されている、
ことを特徴とする請求項２記載の地中埋設型核シェルター。
【発明の詳細な説明】
【技術分野】
【０００１】
本発明は、地中に埋設される地中埋設型核シェルターに関する。
【背景技術】
【０００２】
近年、日本においても各家庭に放射能被爆被害を防ぐことを目的とした核シェルターが普及され始めている。
核シェルターは、従来、家を建てるときに、家の直下の地中に作られるコンクリート製の地下室型のものや、地中に埋設する埋設型のものが知られている。
地下室型の核シェルターは、家の直下に構築するものであることから、家を建てる前に構築する必要があり、また、コストが非常に掛り、汎用性に劣る。
一方、埋設型の核シェルターは、例えば、庭を掘削して核シェルターを埋設すればよいので、埋設場所さえあればいつでも設置でき、また、地下室型に比べてコストも安いため汎用性に優れる。
【先行技術文献】
【特許文献】
【０００３】
【特許文献１】特開２００７−２８５１０９
【発明の概要】
【発明が解決しようとする課題】
【０００４】
しかしながら、汎用性に優れる埋設型の核シェルターの多くは、核シェルターを構成する壁が鋼板製であり、そのため２０年、３０年と時間の経過に伴って鋼板が酸化し腐食し始め、耐久性に劣る不具合がある。
また、鋼板製であることから核シェルターの重量も大きくなり、運搬作業や埋設作業の際に取り扱いを効率良く行なう上で不具合がある。
さらに、転居時などに撤去する場合、核シェルターは鋼板製であり強固であることから、取り壊しに時間と費用が掛かり、簡単に撤去できない不具合がある。
本発明は前記事情に鑑み案出されたものであって、本発明の目的は、耐久性に優れ、運搬作業や埋設作業の際に簡単に取り扱う上で有利でしかも簡単に撤去できる地中埋設型核シェルターを提供することにある。
【課題を解決するための手段】
【０００５】
上記目的を達成するために本発明は、地中に埋設されその内部が居住空間とされるシェルター本体を有する地中埋設型核シェルターであって、前記シェルター本体を構成する壁は、放射線の透過を阻止する放射線遮蔽ゴムパネルと、前記放射線遮蔽ゴムパネルを挟んだ一対の繊維強化樹脂パネルとを含んで構成されていることを特徴とする。
また、本発明は、地中に埋設されその内部が居住空間とされるシェルター本体を有する地中埋設型核シェルターであって、シェルター本体を構成する壁は、前記壁の外面を形成する繊維強化樹脂パネルと、前記繊維強化樹脂パネルに接合され放射線の透過を阻止して前記壁の内面を形成する放射線遮蔽ゴムパネルとを含んで構成されていることを特徴とする。
【発明の効果】
【０００６】
本発明によれば、シェルター本体の外面は、繊維強化樹脂パネルで構成されているので耐食性に優れ、地中に埋設され時間が経過しても鋼板のように腐食していくことはなく、シェルター本体の耐久性、すなわち地中埋設型核シェルターの耐久性を高める上で有利となる。
また、鋼板製のシェルター本体に比べてシェルター本体の重量が極めて小さく、したがって、運搬作業や埋設作業の際に簡単に取り扱う上で有利となり、設置作業にかかる費用を低減する上で有利となる。
また、転居時などに撤去する場合、鋼板製の核シェルターに比べて取り壊しを簡単に行なえ、簡単に撤去する上で有利となる。
また、シェルター本体を構成する壁は、鋼板製のシェルター本体に比べ、工場で簡単に量産可能で、シェルター本体を安価に製作する上で有利となる。
また、シェルター本体を構成する壁が、放射線遮蔽ゴムパネルを挟んだ一対の繊維強化樹脂パネルで構成されている本発明によれば、放射線遮蔽ゴムパネルを構成するゴムと空気との接触を阻止することから、放射線遮蔽ゴムパネルを構成するゴムの経年劣化を阻止でき、シェルター本体の耐久性を高める上で有利となる。
また、シェルター本体を構成する壁が、外面を形成する繊維強化樹脂パネルと、内面を形成する放射線遮蔽ゴムパネルとで構成されている本発明によれば、シェルター本体を構成する壁の構造が簡易であることから、シェルター本体を安価に製作する上で有利となる。
【図面の簡単な説明】
【０００７】
【図１】家の庭に地中埋設型核シェルターが埋設された説明図である。
【図２】地中埋設型核シェルターの断面図である。
【図３】地中埋設型核シェルターの内部の説明図である。
【図４】第１の実施の形態のシェルター本体を構成する壁の断面図である。
【図５】第２の実施の形態のシェルター本体を構成する壁の断面図である。
【図６】第３の実施の形態のシェルター本体を構成する壁の断面図である。
【発明を実施するための形態】
【０００８】
（第１の実施の形態）
第１の実施形態について図１〜図４を参照して説明する。
地中埋設型核シェルター１０は地中に埋設されるものであり、本実施の形態では、家１２の庭１２０２に埋設されている。
地中埋設型核シェルター１０は、その内部が居住空間１４とされたシェルター本体１６を有し、この居住空間１４は、外部の空気が浸入しないように気密性に優れる密閉空間となっている。
本実施の形態では、シェルター本体１６は円筒形を呈し、強度、剛性が確保されている。
なお、シェルター本体１６は、その断面を三角形や矩形などの多角形としてもよいが、本実施の形態のように断面を円形とすると、強度、剛性を確保する上で有利となる。
シェルター本体１６は、均一外径の円筒状を呈する円筒壁１８０２と、円筒壁１８０２の長手方向の両端を閉塞する円形の端面壁１８０４とを有している。端面壁１８０４は、外方に凸状の球面で形成されている。
【０００９】
円筒壁１８０２の長手方向の下部の両側にはそれぞれ中空状の脚部１８０６が突設され、円筒壁１８０２の上部の長手方向の端部寄りの箇所に出入用筒部１８０８が突設され、出入用筒部１８０８は蓋板１８１０により開閉される。
シェルター本体１６の内部の下部には水平に床２０が設けられている。
床２０の上方空間１４０２には、照明装置２２０２、空気清浄機２２０４、トイレ２２０６、ベッド２２０８、酸素ボンベ２２１０などが設けられ、また、床２０と出入用筒部１８０８を接続するはしご２２１２が設けられている。なお、図２、図３において符号２２１４は空気清浄機２２０４の換気口を示している。
床２０の下方空間１４０４には、不図示のバッテリーが収納され、また、不図示の飲料水や食料などの収納スペースが設けられている。
【００１０】
シェルター本体１６を構成する壁１８は、シェルター本体１６の外面を構成する壁であり、言い換えると、地中から居住空間１４を仕切る壁である。
本実施の形態では、シェルター本体１６を構成する壁１８は、円筒壁１８０２と端面壁１８０４と出入用筒部１８０８と蓋板１８１０である。
なお、蓋板１８１０の枚数やレイアウトが変わることもあることから、シェルター本体１６を構成する壁１８は、円筒壁１８０２と端面壁１８０４と蓋板１８１０になる場合もある。
【００１１】
図４に示すように、シェルター本体１６を構成する壁１８は、放射線の透過を阻止する放射線遮蔽ゴムパネル２４と、放射線遮蔽ゴムパネル２４を挟んだ一対の繊維強化樹脂パネル２６とを含んで構成され、それらパネル２４，２６は接合されている。
シェルター本体１６を構成する壁１８は、一対の繊維強化樹脂パネル２６によりシェルター本体１６の強度、剛性を確保し、放射線遮蔽ゴムパネル２４により放射線の居住空間１４への侵入を阻止している。
繊維強化樹脂パネル２６を構成する繊維として、ガラス繊維、アラミド繊維、カーボン繊維などの従来公知の様々な強化繊維が使用可能であり、樹脂としてエポキシ樹脂、ポリエステル樹脂、ビニルエステル樹脂などの剛性を有する従来公知の様々な樹脂が使用可能である。
また、放射線遮蔽ゴムパネル２４を構成するゴムとして、放射線の透過を阻止する従来公知の様々なゴムが使用可能である。
なお、脚部１８０６は省略される場合もあり、また、脚部１８０６は円筒壁１８０２の外側に配置されることから、脚部１８０６は繊維強化樹脂製である。
【００１２】
本実施の形態によれば、シェルター本体１６の外面は、繊維強化樹脂パネル２６で構成されているので耐食性に優れ、地中に埋設され２０年、３０年と時間が経過しても鋼板のように腐食していくことはなく、シェルター本体１６の耐久性、すなわち地中埋設型核シェルター１０の耐久性を高める上で有利となる。
また、シェルター本体１６を構成する壁１８は、放射線遮蔽ゴムパネル２４と、放射線遮蔽ゴムパネル２４を挟んだ一対の繊維強化樹脂パネル２６とを含んで構成されているので、鋼板製のシェルター本体に比べてシェルター本体１６の重量が極めて小さく、したがって、運搬作業や埋設作業の際に簡単に取り扱う上で有利となり、設置作業にかかる費用を低減する上で有利となる。
また、シェルター本体１６を構成する壁は、放射線遮蔽ゴムパネル２４と、放射線遮蔽ゴムパネル２４を挟んだ一対の繊維強化樹脂パネル２６とを含んで構成されているので、転居時などに撤去する場合、鋼板製の核シェルターに比べて取り壊しを簡単に行なえ、簡単に撤去する上で有利となり、また、鋼板製のシェルター本体１６に比べ、工場で簡単に量産可能で、シェルター本体１６を安価に製作する上で有利となる。
また、一対の繊維強化樹脂パネル２６により、放射線遮蔽ゴムパネル２４を構成するゴムと空気との接触を阻止することから、放射線遮蔽ゴムパネル２４を構成するゴムの経年劣化を阻止でき、シェルター本体１６の耐久性を高める上で有利となる。
【００１３】
（第２の実施の形態）
第２の実施形態について図５を参照して説明する。
なお、以下の実施の形態では、第１の実施の形態と同様な箇所に同一の符号を付してその説明を省略し、異なった箇所を重点的に説明する。
第２の実施形態では、シェルター本体１６を構成する壁、すなわち円筒壁１８０２と端面壁１８０４と出入用筒部１８０８と蓋板１８１０が、繊維強化樹脂パネル２６と放射線遮蔽ゴムパネル２４とで構成され、居住空間１４に面する繊維強化樹脂パネル２６が省略されている点が第１の実施の形態と異なっている。
繊維強化樹脂パネル２６は地中に面した箇所に位置し、放射線遮蔽ゴムパネル２４は居住空間１４に面した箇所に位置し、繊維強化樹脂パネル２６と放射線遮蔽ゴムパネル２４とは接合されている。
第１の実施の形態では、放射線遮蔽ゴムパネル２４の両面の２枚の繊維強化樹脂パネル２６によりシェルター本体１６の強度、剛性を確保しているのに対して、第２の実施の形態では、放射線遮蔽ゴムパネル２４の外側の１枚の繊維強化樹脂パネル２６によりシェルター本体１６の強度、剛性を確保している。
このような第２の実施の形態によっても、第１の実施の形態と同様に、地中埋設型核シェルター１０の耐久性を高める効果、設置作業にかかる費用を低減する効果、簡単に撤去できる効果、安価に製作できる効果などの効果が奏される他、第１の実施の形態に比べ、シェルター本体１６を構成する壁１８の構造が簡易であることから、シェルター本体１６を安価に製作する上で有利となる。
【００１４】
（第３の実施の形態）
第３の実施形態について図６を参照して説明する。
第３の実施形態では、第２の実施の形態の放射線遮蔽ゴムパネル２４に化粧パネル２８を接合したものである。
化粧パネル２８は、繊維強化樹脂パネル２６と反対側の放射線遮蔽ゴムパネル２４の面、すなわち居住空間１４に面する放射線遮蔽ゴムパネル２４の面に接合されている。
化粧パネル２８は、居住空間１４の意匠性を高め、同時に、放射線遮蔽ゴムパネル２４を構成するゴムと居住空間１４内の空気との接触を阻止し、ゴムの経年劣化を阻止するものである。
化粧パネル２８は、放射線遮蔽ゴムパネル２４に空気を接触させないものであればよく、樹脂などの従来公知の様々な材料が使用可能であり、化粧パネル２８には厚さの小さい膜やシートを含む。
第３の実施の形態によれば、第１の実施の形態と同様に、地中埋設型核シェルター１０の耐久性を高める効果、設置作業にかかる費用を低減する効果、簡単に撤去できる効果、安価に製作できる効果などの効果が奏される他、化粧パネル２８により居住空間１４の意匠性を高め、放射線遮蔽ゴムパネル２４を構成するゴムの経年劣化を阻止できるので、第２の実施の形態に比べて、居住空間１４の見栄えを長期にわたって保つ上で有利となる。
【符号の説明】
【００１５】
１０  地中埋設型核シェルター
１２  家
１２０２  庭
１４  居住空間
１４０２  上方空間
１４０４  下方空間
１６  シェルター本体
１８  壁
１８０２  円筒壁
１８０４  端面壁
１８０６  脚部
１８０８  出入用筒部
１８１０  蓋板
２０  床
２４  放射線遮蔽ゴムパネル
２６  繊維強化樹脂パネル
２８  化粧パネル
【図１】
2019183432.tif 000003
【図２】
2019183432.tif 000004
【図３】
2019183432.tif 000005
【図４】
2019183432.tif 000006
【図５】
2019183432.tif 000007
【図６】
2019183432.tif 000008